(57)【要約】【課題】ラック・アンド・ピニオンによらずにステップチェーンから動力を取り出すエスカレータ手摺駆動装置を提供する。【解決手段】エスカレータのステップチェーンのリンクの係合面に接触してリンクの運動により駆動される被駆動ローラの回転により駆動されて、エスカレータ手摺を駆動する手摺駆動ローラとを備えたエスカレータ手摺駆動装置において、リンクの係合面が、被駆動ローラがその上を摩擦により転動する平坦面である。【効果】ステップリンクが簡素化でき、安価で低騒音の構成を実現できる。【選択図】図１
2010179999.tif 000002
【特許請求の範囲】
【請求項１】
エスカレータのステップチェーンのリンクの係合面に接触して上記リンクの運動により駆動される被駆動ローラと、
上記被駆動ローラの回転により駆動されて、エスカレータ手摺を駆動する手摺駆動ローラとを備えたエスカレータ手摺駆動装置において、
上記リンクの上記係合面が、上記被駆動ローラがその上を摩擦により転動する平坦面であることを特徴とするエスカレータ手摺駆動装置。
【請求項２】
上記リンクの上記係合面が、上記リンクの側縁部に設けられていることを特徴とする請求項１に記載のエスカレータ手摺駆動装置。
【請求項３】
上記リンクの上記係合面が、上記リンクの側縁部から伸びた延長部に設けられていることを特徴とする請求項１に記載のエスカレータ手摺駆動装置。
【請求項４】
上記被駆動ローラを上記リンクの上記係合面に押圧するバネを備えたことを特徴とする請求項１〜３のいずれか一項に記載のエスカレータ手摺駆動装置。
【請求項５】
上記被駆動ローラが一つにつき二つの上記手摺駆動ローラを回転駆動させることを特徴とする請求項１〜４のいずれか一項に記載のエスカレータ手摺駆動装置。
【請求項６】
上記手摺駆動ローラに対してバネにより押圧されて上記手摺駆動ローラとの間に手摺を挟む加圧ローラを備えたことを特徴とする請求項１〜５のいずれか一項に記載のエスカレータ手摺駆動装置。
【発明の詳細な説明】
【技術分野】
【０００１】
この発明は、エスカレータ手摺駆動装置に関し、特にステップリンクから手摺り駆動用動力を取り出す機構を備えたエスカレータ手摺駆動装置に関するものである。
【背景技術】
【０００２】
先行技術のエスカレータの手摺駆動装置では、ステップを連結しているステップリンクにラック（係合子）を設け、そのラックに噛み合って回転する歯車により手摺駆動ローラを駆動して手摺を駆動するようにされている。このように手摺駆動装置はステップ駆動機構から動力を得ているので、エスカレータ全体として構造が簡素化され、据付・保守作業が容易になっている（例えば特許文献１参照）。
【先行技術文献】
【特許文献】
【０００３】
【特許文献１】特公昭６１−１９５５０号公報
【発明の概要】
【発明が解決しようとする課題】
【０００４】
このような手摺駆動装置においては、ステップ駆動機構との間の駆動力伝達機構としてステップリンクに設けたラックとラックに噛み合うピニオンとを用いているため、ステップを連結しているステップリンク全てにラック（係合子）を設ける必要があり、ステップリンクの形状が複雑である。また、歯車によりステップリンクから手摺駆動装置の動力を伝達するためには、歯車の伝達動力の観点から歯車の歯幅を広くする必要があり、またステップリンクの幅も同様に広くする必要があることから、ステップリンク自体の重量が重くなるという問題がある。さらに、このようにステップリンクの形状が複雑で、ステップリンクの重量が重いので、最終的にエスカレータ全体としてかなりのコストアップが生ずることになる。
【０００５】
従ってこの発明の目的は、ラック・アンド・ピニオンによらずにステップリンクから手摺駆動装置の動力を取り出すことのできるエスカレータ手摺駆動装置を提供することである。
【課題を解決するための手段】
【０００６】
この発明によれば、エスカレータのステップチェーンのリンクの係合面に接触して上記リンクの運動により駆動される被駆動ローラと、上記被駆動ローラの回転により駆動されて、エスカレータ手摺を駆動する手摺駆動ローラとを備えたエスカレータ手摺駆動装置において、上記リンクの上記係合面が、上記被駆動ローラがその上を摩擦により転動する平坦面であることを特徴とするエスカレータ手摺駆動装置が得られる。
【発明の効果】
【０００７】
この発明によれば、ステップリンクの形状を簡素化することができ、歯車も不要となることから安価な構成を実現することが可能となる。
【図面の簡単な説明】
【０００８】
【図１】この発明の実施の形態１によるエスカレータ手摺駆動装置を示す概略側面図である。
【図２】図１の線ＩＩ−ＩＩに沿った概略断面図である。
【図３】図１のエスカレータ手摺駆動装置のステップチェーンを示す概略斜視図である。
【図４】この発明の実施の形態２によるエスカレータ手摺駆動装置を示す概略側面図である。
【図５】図４の線Ｖ−Ｖに沿った概略断面図である。
【図６】この発明の実施の形態３によるエスカレータ手摺駆動装置を示す概略側面図である。
【図７】図６の線ＶＩＩ−ＶＩＩに沿った概略断面図である。
【図８】図６のエスカレータ手摺駆動装置のステップチェーンを示す概略斜視図である。
【発明を実施するための形態】
【０００９】
以下、この発明の実施の形態について説明する。
【００１０】
実施の形態１．
図１にはこの発明の実施の形態１によるエスカレータ手摺駆動装置を概略側面図で示し、図２には図１の線ＩＩ−ＩＩに沿った概略断面を示し、図３には図１のステップチェーンを概略斜視図で示してある。この発明のエスカレータ手摺駆動装置を適用できるエスカレータ１は、互いにピン２によって連結されてステップチェーン３を構成する多数のリンク４を備えている。リンク４のピン２には案内ローラ５が取り付けられていて、ステップチェーン３は、トラス６によって支持されたガイドレール７に沿って案内され、それと共にステップチェーン３に取り付けられたステップ８もガイドレール７に沿って案内されて昇降する。リンク４のピン２に対して平行で長手方向に伸びる面（図１および２で上下の面、図３参照）は、後に詳述するように被駆動ローラ９が接触してその上を転動する係合面１０である。
【００１１】
エスカレータ１のトラス６にはまた、取付板１１がバネ１２を介して取り付けられていて、取付板１１には被駆動ローラ９が軸１３によって、また中継ローラ１４が軸１５によって回転自在に取り付けられており、被駆動ローラ９の回転が中継ローラ１４に伝えられるようにされている。中継ローラ１４には軸１６を介して手摺駆動ローラ１７が共に回転するように設けられていて、手摺駆動ローラ１７はエスカレータ１の手摺１８に接触してこれを駆動できるようにされている。手摺駆動ローラ１７と手摺１８との間に滑りが生じないように、トラス６にバネ１９を介して支持されて手摺１８を手摺駆動ローラ１７に押圧させる加圧ローラ２０が設けられている。
【００１２】
図３に示すように、ステップチェーン３の個々のリンク４は、図示の例では、両端に隣接のリンク４に連結されるためのピン２を持ち、このピン２によって二枚の平行な長いリンク側板２１の両端の間を結合したものであり、多数のリンク４が鎖状に連結されてステップチェーン３を構成している。従って図示の例では、リンク４の係合面１０はリンク側板２１の側縁部に形成された平坦面であり、この側縁部に形成された係合面１０上を被駆動ローラ９が接触子して摩擦により転動して駆動されるのである。
【００１３】
このようなエスカレータ手摺駆動装置において、ステップチェーン３が図１で左方向に駆動されると、リンク４の係合面１０と被駆動ローラ９との間の摩擦により、被駆動ローラ９が時計方向に回転させられ、中継ローラ１４を介して手摺駆動ローラ１７が反時計方向に回転して、手摺駆動ローラ１７と加圧ローラ２０との間の手摺１８を右方向に駆動する。この場所での手摺１８の右方向への移動は、欄干上ではステップチェーン３すなわちステップ（図示してない）の移動方向と同じ左方向への移動となり、エスカレータの運転方向と一致している。
【００１４】
このように、この発明のエスカレータ手摺駆動装置は、エスカレータ１のステップチェーン３のリンク４の係合面１０に接触してリンク４の運動により駆動される被駆動ローラ９と、被駆動ローラ９の回転により駆動されて、手摺１８を駆動する手摺駆動ローラ１７とを備えており、リンク４の係合面１０は被駆動ローラ９がその上を摩擦により転動する平坦面である。
【００１５】
この構成により、ステップチェーン３に被駆動ローラ９に動力を伝達するためのラックを形成する必要がなく、さらにラックに対応した歯車を設ける必要もないことからステップチェーン３の構造が簡素化され、安価に構成することが可能となる。また、歯車の噛み合いによる動力伝達に対してトラクションによる動力伝達であることから、振動・騒音の発生がなく、静寂なエスカレータ手摺駆動装置を得ることができる。
実施の形態２
【００１６】
実施の形態２．
図４はこの発明の実施の形態２によるエスカレータ手摺駆動装置を示す概略側面図であり、図５は図４の線Ｖ−Ｖに沿った概略断面図である。このエスカレータ手摺駆動装置においては、ステップチェーン３の係合面１０によって駆動される被駆動ローラ９は２つである。それぞれの被駆動ローラ９は２つのバネ１２によって弾性的に支持された取付板１１に回転可能に取り付けられていて、同様に取付板１１支持され、それぞれ手摺駆動ローラ１７に連結された２つの中継ローラ１４に同時に回転力を伝達するように構成されている。換言すれば、被駆動ローラ９が一つにつき二つの手摺駆動ローラ１７を回転駆動させるような構造である。
【００１７】
また、各々の手摺駆動ローラ１７に対して手摺を押圧する加圧ローラ２０は、２つずつが対とされて、一枚の板バネ２２によって弾性的に偏倚されている。図示の例では、板バネ２２は中央部の取付部２３でトラス（図示してない）に支持され、両端で加圧ローラ２０の軸を弾性的に支持して加圧ローラ２０によって手摺１８に圧力を与えている。その他の構成は、先に図１〜３に関連して説明したものと同様である。
【００１８】
このような構成によれば、被駆動ローラ９の数が半分に削減されるので、エスカレータ手摺駆動装置をより簡単な構造とし、より安価に構成することが可能となる。
【００１９】
実施の形態３．
図６にはこの発明の実施の形態３によるエスカレータ手摺駆動装置を概略側面図で示し、図７には図６の線ＶＩＩ−ＶＩＩに沿った概略断面を示し、図８には図６のステップチェーン３を概略斜視図で示してある。このエスカレータ手摺駆動装置においては、ステップチェーン３の係合面１０が、リンク４のリンク側板２１の側縁部から伸びた延長部２４に設けられている。このようなリンク４の延長部２４は、例えばリンク側板２１から板金作業により折り曲げて形成することができる。図に示す例では、延長部２４は、平行に配置された２枚のリンク側板２１の一方のリンク側板２１の上側の側縁部から他方のリンク側板２１に向かって直角に折り曲げられたほぼ矩形の平板部材であり、リンク側板２１と延長部２４とでほぼＬ字型の断面形にされている。他方のリンク側板２１には延長部２４が設けられておらず、断面形はほぼＩ字型である。
【００２０】
このような構成によれば、ステップチェーン３に連続した広い係合面１０が形成されるので、ステップチェーン３と被駆動ローラ９との間のトラクションが増加され、ステップチェーン３から伝達される動力を増加することが可能となる。
【００２１】
以上に図示して説明したエスカレータ装置は単なる例であって様々な変形が可能であり、またそれぞれの具体例の特徴を全てあるいは選択的に組み合わせて用いることもできる。例えば、被駆動ローラ９の踏面を摩擦の大きなゴム質の材料により形成してリンク４の係合面１０との間の摩擦力を大きくすることもできる。また、ステップチェーン３のリンク４の係合面１０を摩擦の大きなゴム質の材料により形成することもできる。また、ステップチェーン３のリンク４は図示のような板部材を組み合わせたものでもよいし、少なくとも一面に係合面１０が形成されたロッド状のものでもよい。さらに、リンク４のリンク側板２１に設ける係合面１０のための延長部２４は、２枚のリンク側板の両者間で連続した一体のものとして、リンク４の断面形を倒立Ｕ字型にすることもできる。
【産業上の利用可能性】
【００２２】
この発明はエスカレータの手摺駆動装置である。
【符号の説明】
【００２３】
１  エスカレータ、２  ピン、３  ステップチェーン、４  リンク、５  案内ローラ、６  トラス、７  ガイドレール、８  ステップ、９  被駆動ローラ、１０  係合面、１１  取付板、１２  バネ、１３、１５、１６  軸、１４  中継ローラ、１７  手摺駆動ローラ、１８  手摺、１９  バネ、２０  加圧ローラ、２１  リンク側板、２２  板バネ、２３  取付部、２４  延長部。
【図１】
2010179999.tif 000003
【図２】
2010179999.tif 000004
【図３】
2010179999.tif 000005
【図４】
2010179999.tif 000006
【図５】
2010179999.tif 000007
【図６】
2010179999.tif 000008
【図７】
2010179999.tif 000009
【図８】
2010179999.tif 000010